(57)【要約】      （修正有）【課題】机本体の天板部に楽しみな仕掛けがあって、机に向かうことが楽しみとなるような段ボール机の構造を提供する。【解決手段】段ボールよりなる机本体１１の天板部２０に、段ボールよりなる枠部３０を形成し、枠部内に段ボールよりなる画板材４０を着脱自在に取り付けたことを特徴とし、画板材と同サイズの複数の交換用画板材を付属することができ、画板材には塗り絵用輪郭を形成することができ、机は幼児用のサイズとすることができる。【選択図】図１
0003225422.tif 000002
【実用新案登録請求の範囲】
【請求項１】
段ボールよりなる机本体の天板部に、
段ボールよりなる枠部を形成し、
前記枠部内に段ボールよりなる画板材を着脱自在に取り付けた
ことを特徴とする段ボール机。
【請求項２】
前記画板材と同サイズの複数の交換用画板材が付属されている請求項１に記載の段ボール机。
【請求項３】
前記画板材に塗り絵用輪郭が形成されている請求項１または２に記載の段ボール机。
【請求項４】
前記机が幼児用のサイズである請求項１ないし３のいずれかに記載の段ボール机。
【考案の詳細な説明】
【技術分野】
【０００１】
本考案は段ボール製の机の構造に関する。
【背景技術】
【０００２】
近年、簡便、軽量、加工性、経済性、安全性等の理由から、段ボール製の家具が開発されている。特に、災害時における緊急の避難所等で使用される簡易なベッド、間仕切り、トイレ等は多用されている（例えば、特許文献１参照）。
【０００３】
この考案は、段ボール製の机に関し、特には、例えば幼児用に代表されるサイズの小さい机を提供しようとするものである。小学校へ上がる前の幼児にあっては、通常の学童用の学習机などは体格的にも知能的にも早すぎるし、幼児自身もなじむことが困難である。体力的にも小さくて、軽く、また楽しく安全に机に向かうようなものが望ましい。
【先行技術文献】
【特許文献】
【０００４】
【特許文献１】意匠登録第１３００３５０号
【考案の概要】
【考案が解決しようとする課題】
【０００５】
この考案は、前記の点に鑑みなされたものであって、小型、軽量な段ボール製よりなり、とりわけ、机本体の天板部に楽しみな仕掛けがあって、机に向かうことが楽しみとなるような、そんな段ボール机の構造を提供しようとするものである。
【課題を解決するための手段】
【０００６】
すなわち、請求項１の考案は、段ボールよりなる机本体の天板部に、段ボールよりなる枠部を形成し、前記枠部内に段ボールよりなる画板材を着脱自在に取り付けたことを特徴とする段ボール机に係る。
【０００７】
請求項２の考案は、前記画板材と同サイズの複数の交換用画板材が付属されている請求求項１に記載の段ボール机に係る。
【０００８】
請求項３の考案は、前記画板材に塗り絵用輪郭が形成されている請求項１または２に記載の段ボール机に係る。
【０００９】
請求項４の考案は、前記机が幼児用のサイズである請求項１ないし３のいずれかに記載の段ボール机に係る。
【考案の効果】
【００１０】
請求項１に係る段ボール机にあっては、段ボールよりなる机本体の天板部に、段ボールよりなる枠部を形成し、前記枠部内に段ボールよりなる画板材を着脱自在に取り付けたことを特徴とするものであるから、小型、軽量な段ボール製よりなり、机本体の天板部に着脱自在な画板材が取り付けられるという楽しみな仕掛けがあって、机に向かうことが楽しくなる段ボール机を提供することができた。
【００１１】
請求項２に係る段ボール机にあっては、請求項１に記載の段ボール机において、前記画板材と同サイズの複数の交換用画板材が付属されているものであるから、必要により複数の画板材に簡単に交換でき、使用者の楽しみは一層増大する。贈り物用としても好適である。
【００１２】
また、請求項３に係る段ボール机にあっては、請求項１または２に記載の段ボール机において、前記画板材に塗り絵用輪郭が形成されているものであるから、塗り絵好きな使用者には最適である。
【００１３】
さらに、請求項４に係る段ボール机にあっては、請求項１ないし３のいずれかに記載の段ボール机において、前記机が幼児用のサイズであるから、就学前又は直後の幼児にとって、体格的にも知能的にも好適で、幼児自身も容易になじむことができ、安全でかつ安心して使用することができる。
【図面の簡単な説明】
【００１４】
【図１】本考案の一実施例に係る段ボール机の分解斜視図である。
【図２】図１の段ボール机の組付け斜視図である。
【図３】図１の画板材に塗り絵用輪郭が形成された実施例を示す上面図である。
【考案を実施するための形態】
【００１５】
図１，２に全体符号１０として示すように、請求項１に係る段ボール机１０は、段ボールよりなる机本体１１の天板部２０に、段ボールよりなる枠部３０を形成し、前記枠部３０内に段ボールよりなる画板材４０を着脱自在に取り付けたことを特徴とするものである。この考案は、素材として基本的に紙製の段ボールを主体とするものである。もっとも、強度や接合等の機能的な要請からプラスチックや金属等の素材の使用を排斥するものではない。
【００１６】
机本体１１に関し、符号１２は上板、１３，１３は側板、１４は前板、１５は棚板、１６は机本体の持ち運び用の手掛け部である。なお、机本体１１は実施例の椅子用の机であっても、座り机（座卓）であってもよい。
【００１７】
天板部２０は、実施例では図示のように、前記上板１２とは別に設けたが、上板１２と兼用することもできる。実施例の天板部２０は上板１２に固着又は取外し可能に取り付けられる。天板部２０と上板１２との固着は通常の接着剤で行われる。単に載置するだけでも良い。この場合には、ずれ防止のための係止部（図示せず）を設けることができる。
なお、天板部２０を取外し可能とした場合には、天板部２０及び枠部３０ならびに画板材４０を一緒に机本体１１から分離して、机以外の別の場所あるいは戸外で単独に「画版」として用いることができる。
【００１８】
枠部３０は前記天板部に形成され、画板材４０を着脱自在に保持するものである。この実施例では、画板材４０の外周部４１が枠部３０の内周部３１に嵌着されるようになっている。画板材４０及び枠部３０は紙製の段ボールを主体とすることから、段ボールの厚みにより嵌着し、容易にズレたり外れたりしないことから幼児等であっても使用しやすい。符号３５は枠部３０の内周部３１に形成された画板材４０の取外し用の切欠きである。
【００１９】
画板材４０は、絵を書いたり色を塗ったりする表示部である。この画板材４０は、請求項２の考案として規定したように、同サイズの複数の交換用画板材を付属するようにすると、必要により他の各種の画板材と簡単に交換でき、使用者の楽しみは一層増大する。贈り物用としても好適である。
【００２０】
また、請求項３の考案として規定し図３に図示したように、画板材４０に塗り絵用輪郭４５を形成することができる。塗り絵好きな使用者には最適である。また、幼児には机に向かう習慣をつけるために好ましい素材となる。
【００２１】
そして、請求項４の考案に規定したように、前記机が幼児用のサイズとすれば、就学前又は直後の幼児にとって、体格的にも知能的にも好適で、幼児自身も容易になじむことができ、安全でかつ安心して使用することができる。
【００２２】
このように、この考案は、小型、軽量な段ボール製よりなり、とりわけ、机本体の天板部に楽しみな仕掛けがあって、机に向かうことが楽しみとなるような、そんな段ボール机の構造を提供することがでた。
【符号の説明】
【００２３】
１０    段ボール机
１１    机本体
１２    上板
１３    側板
１４    前板
１５    棚板
１６    手掛け部
２０    天板部
３０    枠部
３１    枠部の内周部
３５    切欠き
４０    画板材
４１    画板材の外周部
４５    塗り絵用輪郭
【図１】
0003225422.tif 000003
【図２】
0003225422.tif 000004
【図３】
0003225422.tif 000005